(57)【要約】      （修正有）【課題】潤滑性を確実とするブレード駆動機構の潤滑構造を提供する。【解決手段】ギヤケース内には、エンジンの動力で回転するピニオンギヤ１４と、ピニオンギヤ１４に歯合したカムギヤ１０と、カムギヤ１０と連動してブレード２ａに動力を伝達するカムロッド１１とが収納されている。カムギヤ１０の中央部には、ギヤシャフト１２が圧入されている。ギヤシャフト１２は、円筒状を呈した中空軸であり、カムギヤ１０を軸方向に貫通している。ギヤシャフト１２の両端は、それぞれギヤケースの内壁のベアリングの設置面にまで延ばし、ギヤシャフト１２の内径部をグリス通路として構成している。【選択図】図４
2014158444.tif 000002
【特許請求の範囲】
【請求項１】
駆動源と、
前記駆動源の出力を伝達して作業具を駆動する動力変換部と、
前記動力変換部を収容するギヤケースと、を備えた携帯型作業機であって、
前記ギヤケースの下面に開口した給油口と、
前記給油口内に一端開口部を臨ませて前記ギヤケース内に配置され、前記ギヤケースの下部から上方に延びた中空のギヤシャフトとを備えることを特徴とする携帯型作業機。
【請求項２】
前記ギヤケースの上部に設けられて前記ギヤシャフトの他端開口部と連通し、前記ギヤシャフト内を通って前記ギヤケースの上部に搬送されてきたグリスを前記ギヤケース内のギヤに供給する油溜部を備えることを特徴とする請求項１記載の携帯型作業機。
【請求項３】
前記ギヤシャフトの内径部は、上方に向かって径が広がるよう形成されている、ことを特徴とする請求項１又は２に記載の携帯型作業機。
【請求項４】
前記ギヤシャフトと同軸一体に回転するカムが設けられ、前記作業具は前記カムと係合して往復動することを特徴とする請求項１〜３のうち何れかに記載の携帯型作業機。
【請求項５】
前記ギヤケースとハンドルとを接続する防振部材を備えることを特徴とする請求項１〜４のうち何れか一項に記載の携帯型作業機。
【発明の詳細な説明】
【技術分野】
【０００１】
本発明は、携帯型作業機に関し、特にギヤケース内へのグリス給油構造に関する。
【背景技術】
【０００２】
従来の作業機では、グリスニップル付近にしかグリスが補充されず、それ以外の摺動部分には運転中に撹拌されてグリスが行き渡るのを期待するか、分解して内部にグリスを直接給油するしかなかった。このため、潤滑の確実性や日常整備の容易性の面において必ずしもユーザーを満足させるものではなかった。
【０００３】
このため、下記の特許文献１では、ギヤ同士の噛合い部の近傍とロッドとギヤの回動部の移動軌跡範囲の近傍との間を連通する連通路をギヤケースに設けることで、ギヤとギヤケースの内側面との隙間を小さくしてギヤ同士の噛み合い部近傍のグリスの圧力を高め、グリスの潤滑性を向上させている。
【先行技術文献】
【特許文献】
【０００４】
【特許文献１】特開２００６−２５４７８５号公報
【発明の概要】
【発明が解決しようとする課題】
【０００５】
しかしながら、上記特許文献１の構成では、グリスが自重でギヤケースの下方に溜まるため、潤滑の確実性を満足できるものではなかった。
【０００６】
本発明は斯かる課題に鑑みてなされたもので、潤滑の確実性を満足することを目的とする。
【課題を解決するための手段】
【０００７】
このような目的を達成するために、本発明のグリス給油構造は、駆動源と、前記駆動源の出力を伝達して作業具を駆動する動力変換部と、前記動力変換部を収容するギヤケースと、を備えた携帯型作業機であって、前記ギヤケースの下面に開口した給油口と、前記給油口内に一端開口部を臨ませて前記ギヤケース内に配置され、前記ギヤケースの下部から上方に延びた中空のギヤシャフトとを備えることを特徴とする。
また、本発明は、前記ギヤケースの上部に設けられて前記ギヤシャフトの他端開口部と連通し、前記ギヤシャフト内を通って前記ギヤケースの上部に搬送されてきたグリスを前記ギヤケース内のギヤに供給する油溜部を備えることを特徴とする。
また、本発明は、前記ギヤシャフトの内径部は、上方に向かって径が広がるよう形成されている、ことを特徴とする。
また、本発明は、前記ギヤシャフトと同軸一体に回転するカムが設けられ、前記作業具は前記カムと係合して往復動することを特徴とする。
また、本発明は、前記ギヤケースとハンドルとを接続する防振部材を備えることを特徴とする。
【発明の効果】
【０００８】
本発明によれば、潤滑の確実性を満足することができる。また、中空軸のギヤシャフトを用いるという平易な方法で、グリスを潤滑させられる。この結果、作業機の整備性を良好にできる。
【図面の簡単な説明】
【０００９】
【図１】本発明の一実施形態の携帯型作業機の平面図である。
【図２】図１の携帯型作業機の左側面図である。
【図３】図１の携帯型作業機の右側面図である。
【図４】図１の携帯型作業機の底面図である。
【図５】図１の携帯型作業機のギアケース内の縦断面図である。
【図６】図１の携帯型作業機のギアケース内の横断面図である。
【図７】本発明の携帯型作業機の変形例を示す一部断面図である。
【図８】本発明の携帯型作業機の変形例を示す一部模式断面図である。
【発明を実施するための形態】
【００１０】
以下、図面を参照して、本発明の一実施形態を説明する。
【００１１】
図１〜４に示す携帯型作業機は、ヘッジトリマであり、フレーム８にエンジン１が搭載されている。エンジン１には、ギヤケース２が固定されている。ギヤケース２には、長手方向に往復運動するブレード２ａが設けられている。フレーム８には、フロントハンドル４及びリアハンドル３が固定されている。リアハンドル３は、フレーム８に回動可能に保持されている。
【００１２】
エンジン１には、マフラーを覆うようにマフラーカバー５が取り付けられている。また、エンジン１には、キャブレター６がエアクリーナー６ａと共に取り付けられている。キャブレター６は、燃料タンク７と燃料パイプ７ａで連結されている。キャブレター６には、スロットルレバー６ｃと連動するスロットルワイヤー６ｂが取り付けられている。
エンジン１の下方であって、フレーム８に囲まれる空間内にはギヤケース２が取り付けられる。ギヤケース２は、エンジン１のクランク軸（図示せず）からの回転力をうけて、これを往復動力に変換して、ギヤケース２から前方に延びるブレード２ａを駆動するものである。エンジン１、ギヤケース２、ブレード２ａの組立体は、４つのコイルばねを有する防振装置を介してフレーム８に保持される。本実施例では、防振装置によってギヤケース２を保持することにより、エンジン１をフレーム８に間接的に保持するようにしている。防振装置は、フレーム８の前側固定位置及び後側固定位置においてボルトで取り付けられ、防振装置の軸方向が左右方向となるように略水平に設けられる。
ブレード２ａは、ギヤケース２からの延出方向に対して左右に複数の刃が形成されるとともに、エンジン１の動力によりそれぞれが逆位相で前後方向に往復運動することで、ブレード２ａとの間のせん断力により、対象物を切断する。
【００１３】
図５，６に示すように、ギヤケース２内には、エンジン１の動力で回転するピニオンギヤ１４と、ピニオンギヤ１４に歯合したカムギヤ１０と、カムギヤ１０と連動してブレード２ａに動力を伝達するカムロッド１１とが収納されている。
【００１４】
カムギヤ１０は、ピニオンギヤ１４ のピッチ円直径より大径のギヤであり、軸方向の両端面がベアリング１３によって回転自在にそれぞれ支持されている。カムギヤ１０の軸方向の両端面には、カムギヤ１０の中心軸に対して偏心した円形状の偏心カム１０ａがそれぞれ一体的に設けられている。
【００１５】
偏心カム１０ａは、カムギヤ１０より小径の円板状に形成されており、カムギヤ１０の軸方向の端面における、カムギヤ１０の中心軸を挟んで対向する位置に配置されている。偏心カム１０ａには、後述するカムロッド１１の大端部１１ａが回転可能に取付けられている。
【００１６】
また、カムギヤ１０の中央部にはギヤシャフト１２が圧入されている。ギヤシャフト１２は、円筒状を呈した中空軸であり、カムギヤ１０を軸方向に貫通している。ギヤシャフト１２の両端は、それぞれギヤケース２の内壁のベアリング１３の設置面にまで延びている。ギヤシャフト１２の内径部はグリス通路１７ａとなっており、ギヤケース２の上部に向かって径が大きくなるテーパ形状を呈している。ギヤシャフト１２は、グリス給油穴１５内の下端部を臨ませて、上方に延びている。
【００１７】
カムロッド１１は、大端部１１ａと円環状の小端部１１ｂとが連結棒で連結された板状の部材である。大端部１１ａは、円環状を呈しており、偏心カム１０ａに回転可能に取り付けられている。小端部１１ｂは、大端部１１ａより小さな円環状を呈しており、ブレード２ａの突出ピン部分２ｂに回転可能に取付けられている。
【００１８】
ギヤケース２の下面には、グリス給油穴１５が設けられている。グリス給油穴１５は、グリス給油時以外にはグリスが漏れ出ないようゴムキャップ１６で蓋がされている。ゴムキャップ１６の代わりにドレンボルト等を使用しても差支えない。
【００１９】
ギヤケース２の上部には、ギヤシャフト１２の内径部の上端と連通した水平通路１７ｂが形成されている。水平通路１７ｂは、ギヤシャフト１２の軸心から遠ざかるよう、ギヤケース２の上面に沿って延びている水平通路１７ｂの一端は、成形のために開放部１７ｃとなっており、これを塞ぐためにスチールボール１８が圧入されている。
【００２０】
水平通路１７ｂの他端は、グリス溜まり１９に連通している。グリス溜まり１９は、水平通路１７ｂからカムギヤ１０の上面に向けて、ギアシャフト１２の軸心に沿って延びている。グリス溜まり１９の端部は、仕切り板に形成された連通孔を介してカムロッド１１の大端部１１ａの上方に開口している。
【００２１】
ギヤケース２内にグリスを供給する場合には、まず、ゴムキャップ１６を外してグリス給油穴１５の蓋をあけ、グリス給油穴１５からギヤケース２内にグリスガン９ａでグリスを注入する。グリスは、ギヤシャフト１２の内径部のグリス通路１７ａ内に充填される。エンジン１の動力がピニオンギヤ１４からカムギヤ１０に伝達され、カムギヤ１０と共にギヤシャフト１２が回転すると、グリス通路１７ａ内のグリスは、遠心力でしだいにギヤケース２上方へ移送される。
【００２２】
グリスは、グリス通路１７ａの上端まで搬送されると、グリス通路１７ａの上端まで後から搬送されてきたグリスにより水平通路１７ｂ内に押し込まれる。このようにして水平通路１７ｂ内に充填されたグリスは、水平通路１７ｂ内を搬送されてグリス溜まり１９に一時的に収められ、自重によりグリス溜まり１９内を徐々に下方に広がる。そして、グリス溜まり１９の下端開口部からカムロッド１１の大端部１１ａ上に広がり、カムギヤ１０とカムロッド１１の摺動面２０、ベアリング１３の潤滑に寄与することになる。
【００２３】
本実施形態によれば、ギヤケース２の下面に開口したグリス給油穴１５からグリスを供給することで、グリス給油穴１５内に一端開口部を臨ませたギヤシャフト１２内にグリスが充填され、ギヤシャフト１２の内径部を通してギヤケース２の上部までグリスを行き渡らすことができる。このため、潤滑の確実性を満足できる。また、中空軸のギヤシャフト１２を用いるという平易な方法でグリスを潤滑できる。このため、整備性の良い作業機を提供できる。
また、ギヤケース２は、グリス給油穴１５を下面に有していることから、左右方向をフレーム８に覆われた構成であっても容易にアクセスすることができ、作業性良くグリスの充填作業を行うことができる。
【００２４】
また、本実施形態によれば、ギヤシャフト１２の内径部を通ってギヤケース２の上部に搬送されてきたグリスを油溜部に溜めることで、カムギヤ１０に上側から供給されるグリスが切れるのを防止できる。
【００２５】
また、本実施形態によれば、ギヤシャフト１２の内径部が、上方に向かって径が広がるテーパ状に形成されているので、ギヤシャフト１２の内径部をグリスが上方に移動し易くできる。
【００２６】
上記実施形態では、スチールボール１８を開放部１７ｃに取り付けた場合について説明したが、図７に示すように、スチールボール１８に代えてグリスニップル９を開放部１７ｃに取り付けても良い。なお、図７において、ギヤケース２内には、ギヤケース２を囲う様に防振スプリング８ａを介して取付けられている。これにより、エンジン１及びギヤケース２から発生する振動が抑えられている。
【００２７】
上記実施形態では、図８（ａ）に模式的に示すように、ギヤシャフト１２の内径部が上方に向かって径が広がるテーパ状に形成されている場合について説明したが、ギヤシャフト１２の内径部がテーパ状に形成されていなくてもよい。例えば、図８（ｂ）に模式的に示すギヤシャフト１２Ａのように、内径部が小径部１７ｄ，中径部１７ｅ，大径部１７ｆを備える等して、下方から上方に向かって階段状に内径が大きくなる形状でもよい。
【００２８】
また、ギヤケース２内にはグリス溜まり１９を必ず設ける必要はなく、また、ギヤシャフト１２の上端部がグリス溜まり１９に直接連通している構成としても良い。また、上記実施形態では、本発明のグリス給油構造をヘンドヘルド作業機に適用した場合について説明したが、他の機械が備えるギヤケースに適用することもできる。
【符号の説明】
【００２９】
１  エンジン  
２  ギヤケース
２ａ  ブレード
２ｂ  突出ピン部分
３  リアハンドル
４  フロントハンドル
５  マフラーカバー
６  キャブレター
６ａ  エアクリーナー
６ｂ  スロットルワイヤー
６ｃ  スロットルレバー
７  燃料タンク
７ａ  燃料パイプ
８  フレーム
８ａ  防振スプリング
９  グリスニップル
９ａ  グリスガン
１０  カムギヤ
１０ａ  偏心カム
１１  カムロッド
１１ａ  大端部
１１ｂ  小端部
１２  ギヤシャフト
１３  ベアリング
１４  ピニオンギヤ
１５  グリス給油穴
１６  ゴムキャップ
１７ａ  グリス通路
１７ｂ  水平通路
１７ｃ  開放部
１７ｄ  小径部
１７ｅ  中径部
１７ｆ  大径部
１８  スチールボール
１９  グリス溜まり（油溜部）
２０  摺動面
【図１】
2014158444.tif 000003
【図２】
2014158444.tif 000004
【図３】
2014158444.tif 000005
【図４】
2014158444.tif 000006
【図５】
2014158444.tif 000007
【図６】
2014158444.tif 000008
【図７】
2014158444.tif 000009
【図８】
2014158444.tif 000010